(57)【要約】      （修正有）【課題】ズボンなどを身に付けている状態でサイズ直しの寸法を測定するサイズ調整幅測定用補助具を提供する。【解決手段】背面側４と表面側３とを有する板体２からなり、長手方向に直交する複数本の掛止溝７１等が隣接する掛止溝同士の間に間隔Ｌ１を空けて形成する。背面側の一方の端部に第一の掛止部８を、他方の端部から長手方向において所定の間隔Ｌ３の位置に第二の掛止部１２を形成する。最も一方の端部側の掛止溝は第一の掛止部から所定の間隔Ｌ２の位置に、最も他方の端部側の掛止溝は第二の掛止部から所定の間隔Ｌ４の位置に形成する。板体の表面の掛止溝に対応する位置に、最も一方の端部側の掛止溝に対応する位置を第一の起点として他方の端部側に延びる第一の目盛り１７と、最も他方の端部側の掛止溝に対応する位置を第二の起点として一方の端部側に延びる第二の目盛り１８が表示する。【選択図】図１
0003155767.tif 000002
【実用新案登録請求の範囲】
【請求項１】
、
背面側と表面側とを有する板体からなり、
当該板体の一方の端部の側から他方の端部の側に向かう長手方向に直交して延びる複数本の掛止溝が当該長手方向に隣接する掛止溝同士の間に第一の所定の間隔（Ｌ１）を空けて形成されていると共に、
前記板体の背面側の一方の端部に第一の掛止部が、
前記板体の背面側の他方の端部から前記長手方向において第三の所定の間隔（Ｌ３）の位置に第二の掛止部がそれぞれ形成されており、
前記複数の掛止溝の中で最も前記一方の端部側の掛止溝は、前記長手方向において前記第一の掛止部から第二の所定の間隔（Ｌ２）の位置に形成され、
前記複数の掛止溝の中で最も前記他方の端部側の掛止溝は、前記長手方向において前記第二の掛止部から第四の所定の間隔（Ｌ４）の位置に形成され、
前記板体の表面の前記複数の掛止溝に対応する位置に
前記複数の掛止溝の中で最も前記一方の端部側の掛止溝に対応する位置を第一の起点として前記他方の端部側に延びる第一の目盛りと、
前記複数の掛止溝の中で最も前記他方の端部側の掛止溝に対応する位置を第二の起点として前記一方の端部側に延びる第二の目盛りと
が表示されている
ことを特徴とするサイズ調整幅測定用補助具。
【請求項２】
前記第一の目盛りの第一の起点に表示される数字は前記第二の所定の間隔（Ｌ２）を表す数字であり、前記第二の目盛りの第二の起点に表示される数字は前記第四の所定の間隔（Ｌ４）を表す数字であることを特徴とする請求項１記載のサイズ調整幅測定用補助具。
【請求項３】
前記第四の所定の間隔（Ｌ４）が０（ゼロ）であることを特徴とする請求項３記載のサイズ調整幅測定用補助具。
【請求項４】
前記各掛止溝の前記長手方向の溝幅は同一であって、
前記第一の目盛り及び第二の目盛りが前記板体の表面に表示される前記複数の掛止溝に対応する位置が各掛止溝における前記長手方向の中間の位置で、
前記第一の目盛り及び第二の目盛りにおける前記長手方向に隣接する目盛り同士の間隔が５ｍｍになるように前記第一の所定の間隔（Ｌ１）が定められている
ことを特徴とする請求項１乃至３のいずれか一項記載のサイズ調整幅測定用補助具。
【請求項５】
前記板体の前記隣接する掛止溝同士の間の部分は、前記他方の端部側が前記一方の端部側から前記背面側に向けて傾斜している案内板になっていることを特徴とする請求項１乃至４のいずれか一項記載のサイズ調整幅測定用補助具。
【請求項６】
前記板体は、背面側から表面側に向けて凸湾していることを特徴とする請求項１乃至５のいずれか一項記載のサイズ調整幅測定用補助具。
【考案の詳細な説明】
【技術分野】
【０００１】
本考案はズボンやスカートなどの衣服のサイズを調整する際にサイズ調整幅を測定することに用いられるサイズ調整幅測定用補助具に関する。
【背景技術】
【０００２】
ズボンやスカートなどの売り場においては、ズボンやスカートの幅を大きくしたり、逆に小さくする等のサイズの調整（サイズ直し）を購入者から要請されることがある。このような場合、従来は、メジャーなどによって購入者のウエストサイズを測定し、これに基づいてサイズ直しを行うのが一般的であった。
【０００３】
そこで、従来からウエストサイズを測定する器具に関しては種々の提案が行われている（例えば、特許文献１、２）。
【先行技術文献】
【特許文献】
【０００４】
【特許文献１】実開昭６１−２４４２３号公報
【特許文献２】実用新案登録第３０４５８９９号公報
【考案の概要】
【考案が解決しようとする課題】
【０００５】
従来から提案されているウエストサイズ測定器具はウエストサイズそのものの測定を目的にしているのが一般的であり、サイズ直しを要請されているズボンやスカートなどの現状のウエストサイズからどの程度大きくすればよいか、あるいはどの程度狭めればよいかを直接測定できるサイズ調整幅測定用補助具は提案されていなかった。
【０００６】
そこで、この考案は、サイズ直しを要請されているズボンやスカートなどの現状のウエストサイズからどの程度サイズを調整すればよいのか直接測定できるサイズ調整幅測定用補助具を提案することを目的にしている。
【０００７】
特に、サイズ直しを要請している商品購入者がズボンやスカート等を身に付けている状態、すなわち、仕上がり後の形態に近い状態で幅を広げる、あるいは幅を狭めるといったサイズ直しの寸法を直接測定できるサイズ調整幅測定用補助具を提案することを目的にしている。
【課題を解決するための手段】
【０００８】
請求項１記載の考案は、
背面側と表面側とを有する板体からなり、
当該板体の一方の端部の側から他方の端部の側に向かう長手方向に直交して延びる複数本の掛止溝が当該長手方向に隣接する掛止溝同士の間に第一の所定の間隔（Ｌ１）を空けて形成されていると共に、
前記板体の背面側の一方の端部に第一の掛止部が、
前記板体の背面側の他方の端部から前記長手方向において第三の所定の間隔（Ｌ３）の位置に第二の掛止部がそれぞれ形成されており、
前記複数の掛止溝の中で最も前記一方の端部側の掛止溝は、前記長手方向において前記第一の掛止部から第二の所定の間隔（Ｌ２）の位置に形成され、
前記複数の掛止溝の中で最も前記他方の端部側の掛止溝は、前記長手方向において前記第二の掛止部から第四の所定の間隔（Ｌ４）の位置に形成され、
前記板体の表面の前記複数の掛止溝に対応する位置に
前記複数の掛止溝の中で最も前記一方の端部側の掛止溝に対応する位置を第一の起点として前記他方の端部側に延びる第一の目盛りと、
前記複数の掛止溝の中で最も前記他方の端部側の掛止溝に対応する位置を第二の起点として前記一方の端部側に延びる第二の目盛りと
が表示されている
ことを特徴とするサイズ調整幅測定用補助具
である。
【０００９】
請求項２記載の考案は、
前記第一の目盛りの第一の起点に表示される数字は前記第二の所定の間隔（Ｌ２）を表す数字であり、前記第二の目盛りの第二の起点に表示される数字は前記第四の所定の間隔（Ｌ４）を表す数字であることを特徴とする請求項１記載のサイズ調整幅測定用補助具
である。
【００１０】
請求項３記載の考案は、
前記第四の所定の間隔（Ｌ４）が０（ゼロ）であることを特徴とする請求項３記載のサイズ調整幅測定用補助具
である。
【００１１】
請求項４記載の考案は、
前記各掛止溝の前記長手方向の溝幅は同一であって、
前記第一の目盛り及び第二の目盛りが前記板体の表面に表示される前記複数の掛止溝に対応する位置が各掛止溝における前記長手方向の中間の位置で、
前記第一の目盛り及び第二の目盛りにおける前記長手方向に隣接する目盛り同士の間隔が５ｍｍになるように前記第一の所定の間隔（Ｌ１）が定められている
ことを特徴とする請求項１乃至３のいずれか一項記載のサイズ調整幅測定用補助具
である。
【００１２】
請求項５記載の考案は、
前記板体の前記隣接する掛止溝同士の間の部分は、前記他方の端部側が前記一方の端部側から前記背面側に向けて傾斜している案内板になっていることを特徴とする請求項１乃至４のいずれか一項記載のサイズ調整幅測定用補助具
である。
【００１３】
請求項６記載の考案は、
前記板体は、背面側から表面側に向けて凸湾していることを特徴とする請求項１乃至５のいずれか一項記載のサイズ調整幅測定用補助具
である。
【考案の効果】
【００１４】
この考案によれば、サイズ直しを要請されているズボンやスカートなどの現状のウエストサイズからどの程度サイズを調整すればよいのか直接測定することができる。また、サイズ直しを要請している商品購入者がズボンやスカート等を身に付けている状態、すなわち、仕上がり後の形態に近い状態でサイズ直しの寸法を直接測定できるサイズ調整幅測定用補助具を提供することができる。
【図面の簡単な説明】
【００１５】
【図１】本考案のサイズ調整幅測定用補助具の一例を表す図であって、（ａ）は表面側を表す正面図、（ｂ）は背面側を表す背面図。
【図２】本考案のサイズ調整幅測定用補助具の一例を表す図であって、（ａ）は図１（ａ）中Ａ−Ａ端面図、（ｂ）は図１（ｂ）中Ｂ−Ｂ端面図。
【図３】幅を大きくするサイズ直しにおける本考案のサイズ調整幅測定用補助具の使用方法を説明する図であって、（ａ）は上側から見た状態を表す一部を省略した平面図、（ｂ）は表面側から見た状態を表す一部を省略した正面図。
【図４】幅を小さくするサイズ直しにおける本考案のサイズ調整幅測定用補助具の使用方法を説明する図であって、（ａ）は上側から見た状態を表す一部を省略した平面図、（ｂ）は表面側から見た状態を表す一部を省略した正面図。
【図５】本考案のサイズ調整幅測定用補助具の他の一例を表す図であって、（ａ）は背面側から見た斜視図、（ｂ）は平面図、（ｃ）は背面側を表す背面図。
【考案を実施するための形態】
【００１６】
以下、添付図面を参照して本考案の好ましい実施形態を説明する。
【００１７】
本考案のサイズ調整幅測定用補助具１、１ａは金属製の板体２から形成されている。
【００１８】
この場合、図２（ａ）、（ｂ）図示のように、背面側４から表面側３に向けて凸湾している金属製の板体２から形成されている形態、図５（ａ）、（ｂ）図示のように平板な金属製の板体２から形成されている形態のいずれも採用可能である。
【００１９】
板体２には複数本の掛止溝７１、７２、７３、・・・、７ｎ−１、７ｎ（以下、掛止溝を総称して掛止溝７と表すことがある）が形成されている。掛止溝７は、図１（ａ）、（ｂ）図示のように、板体２の一方の端部５の側から他方の端部６の側に向かう長手方向に直交して延びるように形成されている。また、掛止溝７は長手方向に隣接する掛止溝７ｎ−１、７ｎ同士の間に間隔Ｌ１（図１（ａ）、（ｂ））を空けて形成されている。
【００２０】
板体２の隣接する掛止溝７１〜７ｎ同士の間の部分は、図１（ａ）、（ｂ）、図２（ａ）、（ｂ）図示のように、当該部分の端部６側が端部５側から背面側４に向けて傾斜している案内板１６にすることができる。
【００２１】
なお、サイズ調整幅測定用補助具１ａが平板な金属製の板体２から形成されている場合、掛止溝７の隣接する掛止溝７１〜７ｎ同士の間の部分を、平板な板体２の一部である平板な区画壁１６ａ（図５（ａ））にすることもできる。
【００２２】
本考案のサイズ調整幅測定用補助具１、１ａを構成する板体２の表面には第一の目盛り１７と、第二の目盛り１８が表示されている（図１（ａ））。
【００２３】
一方、板体２の背面側４の一方の端部５には第一の掛止部８が、他方の端部６には第二の掛止部１２がそれぞれ形成されている。
【００２４】
第二の掛止部１２は、図１（ｂ）、図２（ａ）、（ｂ）図示のように、板体２の背面側４の他方の端部６から長手方向において間隔Ｌ３の位置に形成されている。
【００２５】
第一の掛止部８、第二の掛止部１２は図示の実施形態では、図２（ａ）、（ｂ）図示のように、それぞれ次のようにして形成されている。
【００２６】
第一の掛止部８は、一枚の金属製の板体が中間部で折り曲げられて取付片部９、屈曲部１０、掛止片部１１に形成され、取付片部９が板体２の背面側４の一方の端部５に取り付けられて形成されている。第二の掛止部１２も、一枚の金属製の板体が中間部で折り曲げられて取付片部１３、屈曲部１４、掛止片部１５に形成され、取付片部１３が板体２の背面側４の他方の端部６に取り付けられて形成されている。
【００２７】
第一の目盛り１７、第二の目盛り１８は、図１（ａ）図示のように、いずれも板体２の表面の掛止溝７に対応する位置に形成されている。
【００２８】
そして、図１（ａ）図示のように、第一の目盛り１７は、掛止溝７の中で最も一方の端部５側の掛止溝７１に対応する位置を起点にして他方の端部６側に向かって延びており、第二の目盛り１８は、掛止溝７の中で最も他方の端部６側の掛止溝７ｎに対応する位置を起点にして一方の端部５側に向かって延びている。
【００２９】
図示の実施形態では、各掛止溝７１〜７ｎの長手方向の溝幅は図１（ａ）、（ｂ）図示のようにそれぞれ同一になっている。そして、第一の目盛り１７及び第二の目盛り１８が板体２の表面に表示される掛止溝７に対応する位置は、各掛止溝７１〜７ｎにおける長手方向の中間の位置になっている。
【００３０】
掛止溝７の中で最も一方の端部５側の掛止溝７１は、長手方向において第一の掛止部８から間隔Ｌ２の位置に形成されている（図１、図２）。すなわち、第一の掛止部８の屈曲部１０の内面（図２（ａ）中、右側面）から、掛止溝７１の端部５側の縁までの距離がＬ２になっている。
【００３１】
一方、図１（ｂ）、図２（ａ）、（ｂ）図示のように、掛止溝７の中で最も他方の端部６側の掛止溝７ｎは、長手方向において第二の掛止部１２から間隔Ｌ４の位置に形成されている。
【００３２】
図５（ｃ）図示の実施形態では、間隔Ｌ４は５ｍｍ程度の長さになっているが、図１、図２図示の実施形態では、掛止溝７の中で最も他方の端部６側の掛止溝７ｎは、第二の掛止部１２が形成されている位置における前記一方の端部５側に形成されている。そこで、掛止溝７ｎと第二の掛止部１２を構成する屈曲部１４の内面（図２（ａ）中、右側の面）との間の長手方向における間隔である、掛止溝７ｎと第二の掛止部１２との間の間隔Ｌ４は、ほぼ０（ゼロ）になっている。
【００３３】
本考案のサイズ調整幅測定用補助具１、１ａにおいて、第一の目盛り１７の起点に表示される数字は、掛止溝７の中で最も一方の端部５側の掛止溝７１と第一の掛止部８との間の長手方向における間隔Ｌ２を表す数字になっている。図示の実施形態では、Ｌ２を１ｃｍに設定していることから、図１（ａ）図示のように、第一の目盛り１７の起点に表示される数字は数字１になっている。
【００３４】
一方、第二の目盛り１８の起点に表示される数字は、掛止溝７の中で最も他方の端部６側の掛止溝７ｎと第二の掛止部１２との間の長手方向における間隔Ｌ４を表す数字になっている。
【００３５】
例えば、図１、図２図示の実施形態の場合、第二の目盛り１８の起点に表示される数字は図１（ａ）図示のように０（ゼロ）になっている。これは、掛止溝７の中で最も他方の端部６側の掛止溝７ｎは第二の掛止部１２が形成されている位置における一方の端部５側に形成されていることから、掛止溝７ｎと第二の掛止部１２を構成する屈曲部１４の内面（図２（ａ）中、右側の面）との間の長手方向における間隔Ｌ４がほぼ０（ゼロ）であることに対応している。
【００３６】
図示の実施形態では、上述したように、各掛止溝７１〜７ｎの長手方向の溝幅をそれぞれ同一にし、第一の目盛り１７及び第二の目盛り１８が板体２の表面に表示される掛止溝７に対応する位置を各掛止溝７１〜７ｎにおける長手方向の中間の位置にしているが、これに加えて、第一の目盛り１７及び第二の目盛り１８における長手方向に隣接する目盛り同士の間隔を５ｍｍに設定している。
【００３７】
そして、掛止溝７の隣接する掛止溝７ｎ−１、７ｎ同士の間の長手方向における間隔Ｌ１（図１（ａ）、（ｂ））は、このような条件を満たす大きさに設定している。
【００３８】
なお、第二の掛止部１２が形成される、板体２の背面側４の他方の端部６から長手方向における間隔Ｌ３の大きさは適宜設定することができる。例えば、図１（ａ）図示のように、第一の目盛り１７、第二の目盛り１８とも５〜６ｃｍ程度の長さを測定することができる、あるいは、これよりも少し長い、９〜１０ｃｍ程度を測定することができるようにサイズ調整幅測定用補助具１の大きさを設定した場合、Ｌ３の大きさは、１〜２ｃｍ程度の間で適宜調整できる。
【実施例１】
【００３９】
（幅を大きくするサイズ直し）
図３（ａ）、（ｂ）を参照して、幅を大きくするサイズ直しにおける本考案のサイズ調整幅測定用補助具１の使用方法を説明する。図３（ａ）は上側から見た状態を表す一部を省略した平面図で、図３（ｂ）は表面側から見た状態を表す一部を省略した正面図である。
【００４０】
まず、サイズ直しを要請している人にズボンをはいてもらう。幅を大きくするサイズ直しが必要な場合には、身体の前面側で、符号２０で示されているズボンの右側の前面に取り付けられている掛止金具２２に、符号２１で示されているズボンの左側の背面に取り付けられている掛止金具片２３を掛止しようとしても、図３（ａ）図示のように掛止金具片２３が掛止金具２２に届かない。
【００４１】
そこで、図３図示のようにサイズ調整幅測定用補助具１の表面側４を前面に向けて、ズボンの右側２０の前面に取り付けられている掛止金具２２にサイズ調整幅測定用補助具１の第一の掛止部８の掛止片部１１を掛止する。そして、サイズ調整幅測定用補助具１の背面側４をサイズ直しを要請している人の腹部前面に沿わせ、図３（ａ）、（ｂ）のように、サイズ調整幅測定用補助具１の他方の端部６をサイズ直しを要請している人の腹部左側方向に向けて延ばす。
【００４２】
この際、サイズ調整幅測定用補助具１を形成する板体２が、図２（ａ）、（ｂ）図示のように、背面側４から表面側３に向けて凸湾していると、サイズ直しを要請している人の腹部前面にサイズ調整幅測定用補助具１の背面側４を沿わせるのに有利である。ただし、図１（ａ）図示のように、第一の目盛り１７、第二の目盛り１８とも５〜６ｃｍ程度の長さを測定する程度のものであれば、板体２が平板なものであっても特に不都合は生じない。
【００４３】
次いで、ズボンの左側２１の背面に取り付けられている掛止金具片２３を、ズボンをはいている人がちょうどよいと感じるウエスト長さになるサイズ調整幅測定用補助具１の掛止溝７に挿入する。
【００４４】
例えば、図３（ｂ）で、ズボンの右側２０の前面に取り付けられている掛止金具２にサイズ調整幅測定用補助具１の第一の掛止部８を掛止した後、ズボンの左側２１の背面に取り付けられている掛止金具片２３をサイズ調整幅測定用補助具１の掛止溝７７に挿入したところ、ズボンをはいてサイズ直しを要請している人にとって適切なウエストサイズであったとする。この場合、第一の目盛り１７の掛止溝７７の位置に振られている目盛り４に相当する４ｃｍ、ウエストサイズを拡げればよいことが分かる。しかも、ウエストのサイズ直しを要請されている店員などが、ウエストのサイズ直しを要請している人の前に立って、サイズ調整幅測定用補助具１の表面側４に表示されている第一の目盛り１７を読むことによって大きくする幅のサイズを目視できる。
【００４５】
サイズ調整幅測定用補助具１の第一の掛止部８と掛止溝７１との間の間隔は１ｃｍ、第一の目盛り１７における長手方向に隣接する目盛り同士の間隔は５ｍｍに設定されている。そこで、掛止溝７７の位置に振られている目盛り４により、ズボンの右側２０の前面に取り付けられている掛止金具２２の位置（すなわち、サイズ調整幅測定用補助具１の第一の掛止部８の位置）から、ズボンの左側２１の背面に取り付けられている掛止金具片２３がサイズ調整幅測定用補助具１の掛止溝７に掛止された位置までの距離が４ｃｍであることが前面から把握できる。
【００４６】
これによって、サイズ直しを要請されているズボンの現状のウエストサイズからどの程度サイズを調整すればよいのか直接測定することができる。また、サイズ直しを要請している人がズボンを身に付けている状態で、すなわち、仕上がり後の形態に近い状態でサイズ直しの寸法を直接測定することができる。
【００４７】
なお、サイズ調整幅測定用補助具１の掛止溝７６と７７との間、掛止溝７７と７８との間は、端部６側が端部５側から背面側４に向けて傾斜している案内板１６になっている。そこで、ズボンの右側２０の前面に取り付けられている掛止金具２にサイズ調整幅測定用補助具１の第一の掛止部８を掛止した後、ズボンの左側２１の背面に取り付けられている掛止金具片２３をサイズ調整幅測定用補助具１の掛止溝７７に挿入する際、スムーズに挿入することができる。
【実施例２】
【００４８】
（幅を小さくするサイズ直し）
図４（ａ）、（ｂ）を参照して、幅を小さくするサイズ直しにおける本考案のサイズ調整幅測定用補助具１の使用方法を説明する。図４（ａ）は上側から見た状態を表す一部を省略した平面図で、図４（ｂ）は表面側から見た状態を表す一部を省略した正面図である。
【００４９】
まず、サイズ直しを要請している人にズボンをはいてもらう。幅を小さくするサイズ直しが必要な場合には、身体の前面側で、符号２１で示されているズボンの左側の背面に取り付けられている掛止金具片２３を、符号２０で示されているズボンの右側の前面に取り付けられている掛止金具２２に掛止しようとすると、掛止金具片２３が図４（ａ）中、右側の方にまで延びてしまう。
【００５０】
そこで、ズボンの右側２０の前面に取り付けられている掛止金具２２にサイズ調整幅測定用補助具１の第二の掛止部１２の掛止片部１５を掛止する。そして、サイズ調整幅測定用補助具１の背面側４をサイズ直しを要請している人の腹部前面に沿わせ、図４（ａ）、（ｂ）のように、サイズ調整幅測定用補助具１の一方の端部５をサイズ直しを要請している人の腹部右側方向に向けて延ばす。
【００５１】
次いで、ズボンの左側２１の背面に取り付けられている掛止金具片２３を、ズボンをはいている人がちょうどよいと感じるウエスト長さになる掛止溝７に挿入する。
【００５２】
例えば、図４（ｂ）で、ズボンの右側２０の前面に取り付けられている掛止金具２にサイズ調整幅測定用補助具１の第二の掛止部１２を掛止した後、ズボンの左側２１の背面に取り付けられている掛止金具片２３をサイズ調整幅測定用補助具１の掛止溝７ｎ-４に挿入したところ、ズボンをはいてサイズ直しを要請している人にとって適切なウエストサイズであったとする。この場合、第二の目盛り１８の掛止溝７ｎ-４の位置に振られている目盛り２に相当する２ｃｍ、ウエストサイズを小さくすればよいことが分かる。しかも、ウエストのサイズ直しを要請されている店員などが、ウエストのサイズ直しを要請している人の前に立って、サイズ調整幅測定用補助具１の表面側４に表示されている第二の目盛り１８を読むことによって小さくする幅のサイズを目視できる。
【００５３】
サイズ調整幅測定用補助具１の第二の掛止部１２と掛止溝７ｎとの間の間隔は０ｃｍ、第二の目盛り１８における長手方向に隣接する目盛り同士の間隔は５ｍｍに設定されているので、掛止溝７ｎ-４の位置に振られている目盛り２により、ズボンの右側２０の前面に取り付けられている掛止金具２２の位置（すなわち、サイズ調整幅測定用補助具１の第二の掛止部１２の位置）から、ズボンの左側２１の背面に取り付けられている掛止金具片２３がサイズ調整幅測定用補助具１の掛止溝７に掛止された位置までの距離が２ｃｍであることが前面から把握できる。
【００５４】
これによって、サイズ直しを要請されているズボンの現状のウエストサイズからどの程度サイズを調整すればよいのか直接測定することができる。また、サイズ直しを要請している人がズボンを身に付けている状態で、すなわち、仕上がり後の形態に近い状態でサイズ直しの寸法を直接測定することができる。
【００５５】
なお、この場合にも、サイズ調整幅測定用補助具１の長手方向に隣接する掛止溝同士の間は、端部６側が端部５側から背面側４に向けて傾斜している案内板１６になっているので、ズボンの右側２０の前面に取り付けられている掛止金具２にサイズ調整幅測定用補助具１の第一の掛止部８を掛止した後、ズボンの左側２１の背面に取り付けられている掛止金具片２３をサイズ調整幅測定用補助具１の掛止溝７ｎ-４に挿入する際、スムーズに挿入することができる。
【実施例３】
【００５６】
図５（ａ）〜（ｃ）を用いて本考案の他の実施例を説明する。
【００５７】
図５図示の本考案のサイズ調整幅測定用補助具１ａは、表面側３、背面側４を有する金属製の平板な板体２から形成されている点が、背面側４から表面側３に向けて凸湾している金属製の板体２から形成されていたサイズ調整幅測定用補助具１と相違している。
【００５８】
また、サイズ調整幅測定用補助具１では板体２に形成されている掛止溝７の隣接する掛止溝７１〜７ｎ同士の間の部分は、図１（ａ）、（ｂ）、図２（ａ）、（ｂ）図示のように、当該部分の端部６側が端部５側から背面側４に向けて傾斜している案内板１６になっていたが、図５図示のサイズ調整幅測定用補助具１ａでは、掛止溝７の隣接する掛止溝７１〜７ｎ同士の間の部分が、平板な板体２の一部である平板な区画壁１６ａ（図５（ａ））になっている。
【００５９】
更に、図１〜図４を用いて説明したサイズ調整幅測定用補助具１では、掛止溝７の中で最も他方の端部６側の掛止溝７ｎが、第二の掛止部１２が形成されている位置における一方の端部５側に形成されていることから、掛止溝７ｎと第二の掛止部１２を構成する屈曲部１４の内面（図２（ａ）中、右側の面）との間の長手方向における間隔Ｌ４がほぼ０（ゼロ）で、これに対応して、第二の目盛り１８の起点に表示される数字が０（ゼロ）であた（図１（ａ））。
【００６０】
これに対して、図５図示のサイズ調整幅測定用補助具１ａでは、Ｌ４が５ｍｍ程度の大きさを有することから、これに対応して、第二の目盛り１８の起点に表示される数字がＬ２を表す数字０．５である点（不図示）が図１〜図４を用いて説明したサイズ調整幅測定用補助具１と相違している。
【００６１】
以上の３点以外は、図１〜図４を用いて説明したサイズ調整幅測定用補助具１と同一であり、また、サイズ調整幅測定用補助具１ａの使用方法も、実施例１、２で説明したサイズ調整幅測定用補助具１の使用方法と同一であるので、図１〜図４を用いて説明したサイズ調整幅測定用補助具１と共通する部分には共通する符号を付けてその説明を省略する。
【００６２】
この実施例のサイズ調整幅測定用補助具１ａによっても、図１〜図４を用いて説明したサイズ調整幅測定用補助具１と同じように、サイズ直しを要請されているズボンの現状のウエストサイズからどの程度サイズを調整すればよいのか直接測定することができる。また、サイズ直しを要請している人がズボンを身に付けている状態で、すなわち、仕上がり後の形態に近い状態でサイズ直しの寸法を直接測定することができる。
【００６３】
以上、添付図面を参照して本考案の好ましい実施形態、実施例を説明したが、本考案はこれらに限定されるものではなく、実用新案登録請求の範囲の記載から把握される技術的範囲において種々の形態に変更可能である。
【００６４】
例えば、前記では、板体２及び、これに取り付けられる第一の掛止部８、第二の掛止部１２を金属製にしていた。しかし、上述したように、サイズ直しを希望している人がサイズ直しを行うズボンやスカートをはいている状態で、サイズ調整幅測定用補助具１、１ａの第一の掛止部８、あるいは第二の掛止部１２をズボンなどの右側２０の前面に取り付けられている掛止金具２２に掛止し、その後、ズボンなどの左側２１の背面に取り付けられている掛止金具片２３をサイズ調整幅測定用補助具１の掛止溝７に挿入して幅を広げる大きさ、幅を狭める大きさを測定する際に必要な耐力を発揮できる材質であれば、板体２、第一の掛止部８、第二の掛止部１２は、金属以外の材質、例えば、合成樹脂などでも形成することができる。
【符号の説明】
【００６５】
１、１ａ  サイズ調整幅測定用補助具
２    板体
３    表面側
４    背面側
５    板体の一方の端部
６    板体の他方の端部
７（７１、７２、７３、・・・、７ｎ−１、７ｎ） 掛止溝
８    第一の掛止部
１２  第二の掛止部
１６  案内板
１７  第一の目盛り
１８  第二の目盛り
【図１】
0003155767.tif 000003
【図２】
0003155767.tif 000004
【図３】
0003155767.tif 000005
【図４】
0003155767.tif 000006
【図５】
0003155767.tif 000007
【手続補正書】
【提出日】平成21年9月29日(2009.9.29)
【手続補正１】
【補正対象書類名】実用新案登録請求の範囲
【補正対象項目名】全文
【補正方法】変更
【補正の内容】
【実用新案登録請求の範囲】
【請求項１】
背面側と表面側とを有する板体からなり、
当該板体の一方の端部の側から他方の端部の側に向かう長手方向に直交して延びる複数本の掛止溝が当該長手方向に隣接する掛止溝同士の間に第一の所定の間隔（Ｌ１）を空けて形成されていると共に、
前記板体の背面側の一方の端部に第一の掛止部が、
前記板体の背面側の他方の端部から前記長手方向において第三の所定の間隔（Ｌ３）の位置に第二の掛止部がそれぞれ形成されており、
前記複数の掛止溝の中で最も前記一方の端部側の掛止溝は、前記長手方向において前記第一の掛止部から第二の所定の間隔（Ｌ２）の位置に形成され、
前記複数の掛止溝の中で最も前記他方の端部側の掛止溝は、前記長手方向において前記第二の掛止部から第四の所定の間隔（Ｌ４）の位置に形成され、
前記板体の表面の前記複数の掛止溝に対応する位置に
前記複数の掛止溝の中で最も前記一方の端部側の掛止溝に対応する位置を第一の起点として前記他方の端部側に延びる第一の目盛りと、
前記複数の掛止溝の中で最も前記他方の端部側の掛止溝に対応する位置を第二の起点として前記一方の端部側に延びる第二の目盛りと
が表示されている
ことを特徴とするサイズ調整幅測定用補助具。
【請求項２】
前記第一の目盛りの第一の起点に表示される数字は前記第二の所定の間隔（Ｌ２）を表す数字であり、前記第二の目盛りの第二の起点に表示される数字は前記第四の所定の間隔（Ｌ４）を表す数字であることを特徴とする請求項１記載のサイズ調整幅測定用補助具。
【請求項３】
前記第四の所定の間隔（Ｌ４）が０（ゼロ）であることを特徴とする請求項１記載のサイズ調整幅測定用補助具。
【請求項４】
前記各掛止溝の前記長手方向の溝幅は同一であって、
前記第一の目盛り及び第二の目盛りが前記板体の表面に表示される前記複数の掛止溝に対応する位置が各掛止溝における前記長手方向の中間の位置で、
前記第一の目盛り及び第二の目盛りにおける前記長手方向に隣接する目盛り同士の間隔が５ｍｍになるように前記第一の所定の間隔（Ｌ１）が定められている
ことを特徴とする請求項１乃至３のいずれか一項記載のサイズ調整幅測定用補助具。
【請求項５】
前記板体の前記隣接する掛止溝同士の間の部分は、前記他方の端部側が前記一方の端部側から前記背面側に向けて傾斜している案内板になっていることを特徴とする請求項１乃至４のいずれか一項記載のサイズ調整幅測定用補助具。
【請求項６】
前記板体は、背面側から表面側に向けて凸湾していることを特徴とする請求項１乃至５のいずれか一項記載のサイズ調整幅測定用補助具。